Podtech/llm-jp-corpus-v4-ja_patent huggingface dataset:
【手続補正書】
【提出日】令和1年6月17日(2019.6.17)
【手続補正１】
【補正対象書類名】明細書
【補正対象項目名】０００８
【補正方法】変更
【補正の内容】
【０００８】
[0007]  したがって、高レベルの無機質粒子を含有するだけでなく、希望する展性(malleability)と凝集性の組合わせも維持する、改良されたインプラントおよび／または圧縮抵抗性インプラントに対するニーズがある。さらに、骨形成剤、たとえばオキシステロールを取り込ませた展性インプラントおよび／または圧縮抵抗性インプラントの提供に対するニーズがある。骨、同種移植片、自家移植片、合成材料および／またはＰＥＥＫを含む他の医療用インプラント、たとえばスクリュー、ロッド、プレート、および椎体間デバイスに結合する接着性をもつインプラントまたは圧縮抵抗性インプラントに対するニーズもある。骨形成剤、たとえばポリマーマイクロスフェアに封入されたオキシステロールの効率的な徐放を提供する改良されたインプラントに対するニーズもある。
【手続補正２】
【補正対象書類名】明細書
【補正対象項目名】００７７
【補正方法】変更
【補正の内容】
【００７７】
[0079]  用語“圧縮”は、マトリックスに力を付与した際にサイズが低減すること、または密度が増大することを表わす。
[0080]  オキシステロールは“骨形成性(osteogenic)”であることができ、それは新たな骨組織の内殖(ingrowth)を増強または促進することができる。
【手続補正３】
【補正対象書類名】明細書
【補正対象項目名】０１９１
【補正方法】変更
【補正の内容】
【０１９１】
[00192]  ある態様において、無機セラミックス、たとえばリン酸カルシウムをマトリックスに含有させることにより、これは新たな骨を沈着させようとしている細胞へのカルシウムおよびホスフェートの局所供給源として作用するであろう。無機セラミックはマトリックスに圧縮抵抗性および耐荷重特性をも提供する。
【手続補正４】
【補正対象書類名】明細書
【補正対象項目名】０１９３
【補正方法】変更
【補正の内容】
【０１９３】
[00194]  ある態様において、インプラントはその中に配置された脱灰骨材を含むことができる。脱灰骨材は、脱灰骨の粉末、チップ、三角プリズム、球体、キューブ、シリンダー、破片、繊維、または不規則もしくはランダムな幾何学的形状をもつ他の形状のものを含むことができる。これらには、たとえば、“実質的に脱灰された”、“部分的に脱灰された”または“完全に脱灰された”皮質骨および海綿骨を含めることができる。これらには表面脱灰も含まれ、その際、骨構造体の表面は実質的に脱灰され、部分的に脱灰され、または完全に脱灰されているが、なお骨構造体の本体は完全に石灰化している。ある態様において、カバリングは若干の完全石灰化した骨材を含むことができる。骨材の構造は、全骨をミリング、シェービング、カッティングまたは機械加工することにより得ることができる；たとえば、 U.S. Pat. No. 5,899,939に記載に従う；開示内容全体を本開示に援用する。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
クラッド溶接対象の工作物を提供するステップと、
帯状電極を前記工作物の表面上へと案内するステップと、
前記帯状電極を前記工作物の表面上へと、エレクトロスラグクラッド溶接を使用してクラッド溶接するステップと、
を含むハイブリッドエレクトロスラグクラッド溶接方法において、
金属コアハイブリッドエレクトロスラグクラッド溶接ワイヤを前記帯状電極の溶融池の中へと案内して、クラッド層の化学的組成を制御するステップ
を特徴とする方法。
【請求項２】
ニッケルクラッド層を必要とする工作物を使用するステップと、前記クラッド層の前記化学的組成を制御するために帯状電極と金属コアハイブリッドエレクトロスラグクラッド溶接ワイヤの組合せを選択するステップとを含む、請求項１に記載の方法。
【請求項３】
異なるクラッド層の組成のステンレス鋼クラッド層を必要とする第一及び第二の工作物のために、所定の化学的組成の帯状電極を使用するステップと、前記第一の工作物の前記クラッド層の前記化学的組成を制御するために第一の金属コアハイブリッドエレクトロスラグクラッド溶接ワイヤを、また前記第二の工作物の前記クラッド層の前記化学的組成を制御するために第二の金属コアハイブリッドエレクトロスラグクラッド溶接ワイヤを選択するステップとを含み、前記第一の金属コアハイブリッドエレクトロスラグクラッド溶接ワイヤは前記第二の金属コアハイブリッドエレクトロスラグクラッド溶接ワイヤとは異なる化学的組成を有する、請求項１に記載の方法。
【請求項４】
第一及び第二の工作物のためにある組成のフラックスを使用するステップを含み、前記第一の工作物は前記第二の工作物の前記化学的組成とは異なる化学的組成を有する、請求項１〜３のいずれか一項に記載の方法。
【請求項５】
コントローラ及びセンサを使用して、以下のパラメータ、すなわち前記金属コアハイブリッドエレクトロスラグクラッド溶接ワイヤの突出し長さ、前記帯状電極の送給速度、前記金属コアハイブリッドエレクトロスラグクラッド溶接ワイヤの送給速度のうちの少なくとも１つを制御するステップを含み、前記コントローラはプログラマブルロジックコントローラである、請求項１〜４のいずれか一項に記載の方法。
【請求項６】
前記帯状電極の前記送給速度の変化が検出された場合に、前記金属コアハイブリッドエレクトロスラグクラッド溶接ワイヤの前記送給速度を変化させるステップを含む、請求項５に記載の方法。
【請求項７】
前記金属コアハイブリッドエレクトロスラグクラッド溶接ワイヤが加熱される、請求項１〜６のいずれか一項に記載の方法。
【請求項８】
請求項１〜７のいずれか一項に記載の方法で使用するための金属コアハイブリッドエレクトロスラグクラッド溶接ワイヤにおいて、Ｎｉ−Ｃｒニッケル系シース及び前記Ｎｉ−Ｃｒニッケル系シース内の金属粉末フラックスを特徴とし、前記金属コアハイブリッドエレクトロスラグクラッド溶接ワイヤがワイヤ６２５、ワイヤ６００、ワイヤ８２５、又はワイヤ４００の組成を有する、金属コアハイブリッドエレクトロスラグクラッド溶接ワイヤ。
【請求項９】
請求項１〜７のいずれか一項に記載の方法で使用するための金属コアハイブリッドエレクトロスラグクラッド溶接ワイヤにおいて、ステンレス鋼系シース及び前記ステンレス鋼系シース内の金属粉末フラックスを特徴とし、前記金属コアハイブリッドエレクトロスラグクラッド溶接ワイヤがワイヤ３０８Ｌ、ワイヤ３４７、ワイヤ３１６Ｌ、又はワイヤ３１７Ｌの組成を有する、金属コアハイブリッドエレクトロスラグクラッド溶接ワイヤ。
【請求項１０】
成分の少なくとも１つ又はすべての成分の上限が、対応する表中に明記されたものより５％、１０％、又は２０％低い、請求項８又は９に記載の金属コアハイブリッドエレクトロスラグクラッド溶接ワイヤ。
【請求項１１】
成分の少なくとも１つ又はすべての成分の下限が、対応する表中に明記されたものより５％、１０％、又は２０％高い、請求項８〜１０のいずれか一項に記載の金属コアハイブリッドエレクトロスラグクラッド溶接ワイヤ。
【請求項１２】
ニッケル系工作物又はステンレス鋼工作物のハイブリッドエレクトロスラグクラッド溶接のための請求項８〜１１のいずれか一項に記載の金属コアハイブリッドエレクトロスラグクラッド溶接ワイヤの使用。
【請求項１３】
クラッド溶接ヘッド及びクラッド溶接電源を含み、前記クラッド溶接ヘッドは帯状電極を前記帯状電極でのクラッド溶接対象の工作物の表面上へと案内し、前記クラッド溶接電源は、前記工作物の前記表面上にアークレス堆積させるために前記帯状電極に電源供給するハイブリッドエレクトロスラグクラッド溶接システムにおいて、前記クラッド溶接ヘッドは請求項１〜１２のいずれか一項に記載の金属コアハイブリッドエレクトロスラグクラッド溶接ワイヤを前記帯状電極の溶融池の中へと案内し、前記ハイブリッドエレクトロスラグクラッド溶接システムは、前記帯状電極上に、及び／又はそれに隣接してフラックスを堆積させるためのフラックスフィーダをさらに含む、ハイブリッドエレクトロスラグクラッド溶接システム。
【請求項１４】
前記金属コアハイブリッドエレクトロスラグクラッド溶接ワイヤを加熱するためのホットワイヤ電源及び／又は、以下のパラメータ、すなわち所望の堆積速度に応じた前記金属コアハイブリッドエレクトロスラグクラッド溶接ワイヤの熱、前記金属コアハイブリッドエレクトロスラグクラッド溶接ワイヤ及び／又は前記帯状電極の突出し長さ、前記帯状電極の送給速度、前記金属コアハイブリッドエレクトロスラグクラッド溶接ワイヤの送給速度の少なくとも１つを制御するためのコントローラを含み、前記コントローラはプログラマブルロジックコントローラである、請求項１３に記載のハイブリッドエレクトロスラグクラッド溶接システム。
【請求項１５】
前記帯状電極に隣接して、前記溶融池を磁力で誘導するための誘導磁石を含む、請求項１３又は１４に記載のハイブリッドエレクトロスラグクラッド溶接システム。
【請求項１６】
前記帯状電極及び／又は前記金属コアハイブリッドエレクトロスラグクラッド溶接ワイヤ及び／又は前記工作物の前記表面の間の角度が調節可能である、請求項１３〜１５のいずれか一項に記載のハイブリッドエレクトロスラグクラッド溶接システム。
【請求項１７】
前記クラッド溶接ヘッドは、２、３本、又はそれ以上の隣接する金属コアハイブリッドエレクトロスラグクラッド溶接ワイヤを前記溶融池の中へと案内する、請求項１３〜１６のいずれか一項に記載のハイブリッドエレクトロスラグクラッド溶接システム。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
鉄系合金を製造するための方法であって、
ａ）鉄含有材料を溶解炉に供給し、前記鉄含有材料を溶融させて溶融金属とする工程と、
ｂ）前記溶融金属にＡｌおよびＭｇからなる群より選択される少なくとも１つの元素を導入して前記溶融金属中の溶解酸素と反応させ、前記溶融金属中でＭｇ酸化物および／またはＡｌ酸化物を含む標的微細酸化物分散質を形成する工程と、
ｃ）前記溶融金属を前記溶融金属の液相線温度よりも高い温度に維持し、Ｈｆ、Ｎｂ、ＴｉおよびＺｒからなる群より選択される１つまたは複数の金属結晶粒微細化元素を前記溶融金属に導入して前記金属結晶粒微細化元素の金属窒化物を前記酸化物分散質上に析出させて、前記金属窒化物を含有する溶融金属を得る工程と、
ｄ）前記金属窒化物を内部に含む前記溶融金属を前記溶融金属の固相線温度よりも低い温度に冷却して、凝固した鉄系合金を形成するステップと、を順に含む方法。
【請求項２】
標的微細酸化物分散質を形成する工程（ｂ）において添加される前記元素は、さらにＢａ、ＣａおよびＳｒからなる群より選択される１つまたは複数の元素を含む、請求項１に記載の方法。
【請求項３】
工程（ｂ）の操作から工程（ｃ）の操作までにおいて、前記酸化物分散質は、溶融物の全濃度の、１〜１０００ｐｐｍを占める、請求項１または２に記載の方法。
【請求項４】
前記酸化物分散質は、前記金属窒化物の析出を容易にする、ＭｇＯおよびアルミン酸マグネシウム（ＭｇＡｌ２Ｏ４および／またはＭｇＯ−Ａｌ２Ｏ３）を含む、請求項１〜３のいずれか１項に記載の方法。
【請求項５】
前記金属窒化物は、前記凝固した鉄系合金を形成するための前記冷却中に微細化された金属結晶粒を形成するための核生成サイトである、請求項１〜４のいずれか１項に記載の方法。
【請求項６】
前記金属窒化物は、前記凝固した鉄系合金を形成するための前記冷却中に微細化された等軸金属結晶粒を形成するための分散された不均一核生成サイトである、請求項１〜５のいずれか１項に記載の方法。
【請求項７】
前記１つまたは複数の金属結晶粒微細化元素は、Ｔｉおよび／またはＺｒを含む、請求項１〜６のいずれか１項に記載の方法。
【請求項８】
前記１つまたは複数の金属結晶粒微細化元素は、Ｔｉを含む、請求項７に記載の方法。
【請求項９】
Ｔｉは、工程（ｂ）の操作から工程（ｄ）の操作までにおいて、前記溶融金属に導入されるただ１つの金属結晶粒微細化元素である、請求項７に記載の方法。
【請求項１０】
工程（ａ）の操作から工程（ｂ）の操作までにおいて、ｉ）酸化物化合物を形成する１つまたは複数の脱酸素元素を添加することによって部分的に脱酸素する工程と、ｉｉ）前記溶融金属中で標的酸素濃度を達成するために前記溶融金属から前記酸化物化合物を除去する工程とをさらに含む、請求項１〜９のいずれか１項に記載の方法。
【請求項１１】
前記金属窒化物を前記酸化物分散質上に析出させ、前記金属窒化物は、冷却時に等軸結晶粒の不均一核生成および結晶粒微細化のための表面を付与する、請求項１〜１０のいずれか１項に記載の方法。
【請求項１２】
前記１つまたは複数の結晶粒微細化元素の添加時における前記溶融物中での前記Ｎレベルは、４００〜３０００ｐｐｍである、請求項１〜１１のいずれか１項に記載の方法。
【請求項１３】
工程（ｂ）の後、Ａｌおよび／またはＭｇの導入が停止され、前記金属結晶粒微細化元素を前記溶融金属に導入する工程（ｃ）に先だって、前記溶融金属を所定の放置時間に供する、請求項１〜１２のいずれか１項に記載の方法。
【請求項１４】
請求項１〜１３のいずれか１項に記載の方法によって調製された鉄系合金。
【請求項１５】
前記鉄系合金は、０．５〜３ｍｍの平均結晶粒度を有する等軸結晶粒組織を有する、請求項１４に記載の方法。
【手続補正書】
【提出日】令和1年5月9日(2019.5.9)
【手続補正１】
【補正対象書類名】明細書
【補正対象項目名】００６７
【補正方法】変更
【補正の内容】
【００６７】
図５Ｄに、抵抗性制御ゲート５５１の長手方向に沿い五通りの部位（Ａ、Ｂ、Ｃ、Ｄ及びＥ）にそれぞれ配された５個のアパーチャ制御電極（即ち端部電極５５５Ａ及び５５５Ｅ並びに３個の中央電極５５５Ｂ、５５５Ｃ及び５５５Ｄ）によって、図４のラインセンサ４１０と同様なラインセンサの対応画素の一部をなす抵抗性制御ゲート５５１に適用することができる、様々な電圧体系を示す。この例では、中央電極５５５Ｂ及び５５５Ｄが、フリンジ電界の生成によって各画素の有効アパーチャに更なるインクリメンタルな微調整を施せるよう、中央電極５５５Ｃ（中央の部位Ｃ）寄りに配されている。具体的には、図４及び図５Ａを参照して上述したそれと同様の要領に従い、中央電極５５５Ｃに対し負電圧（例．−５Ｖ）、端部電極５５５Ａ及び５５５Ｅに対しより正な電圧（例．０Ｖ）を印加することによって、線５１７により表される対称“Ｖ”字状の非単調電圧プロファイルが生成されている（中央電極５５５Ｂ及び５５５Ｄは浮動している）。有効画素アパーチャのエッジを右に（即ち部位Ｅの方に）シフトさせるため中央電極５５５Ｂに中間調整電圧（例．−２．５Ｖ）を印加すると、線５１８で示されている電圧プロファイルがもたらされるため、部位Ｅの方にシフトした相応な非対称電界が抵抗性ゲート電極５４１によって生成されることとなる。逆に、有効画素アパーチャのエッジを左に（即ち部位Ａの方に）シフトさせるため中央電極５５５Ｄに中間調整電圧（例．−２．５Ｖ）を印加すると、線５１９で示されている電圧プロファイルがもたらされるため、部位Ａの方にシフトした相応な非対称電界が抵抗性ゲート電極５４１によって生成されることとなる。図５Ｄに示した手法を用い、中央電極５５５Ｂ及び５５５Ｄに印加される調整電圧を変化させることにより、画素エッジの在処を動作中に連続的に調整することができる。
【手続補正２】
【補正対象書類名】図面
【補正対象項目名】図５Ｂ
【補正方法】変更
【補正の内容】
【図５Ｂ】
2018517902.tif 000001
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
喫煙する患者のために喫煙を止める計画を作成する方法であって、前記方法は：
患者が喫煙したか否かを決定するための少なくとも１つの生物学的インジケータを計測することと；
患者が喫煙した時と時間内に相関する情報を備える複数の患者データを取得することと；
前記複数の患者データのうちの少なくとも１つと、前記生物学的インジケータのうちの少なくとも１つとを結合して、患者が禁煙試行前に通常通り喫煙する間に生じる第１の検査期間中における患者の喫煙行為を評価することと；
前記喫煙行為を禁煙プログラムに組み込むことと；
前記禁煙プログラムの報告を提供することと、
を備えることを特徴とする、喫煙する患者のために喫煙を止める計画を作成する方法。
【請求項２】
前記少なくとも１つの生物学的インジケータを計測することは、前記第１の検査期間に対して前記患者から複数の呼気サンプルを得ることを備えることを特徴とする、請求項１に記載の方法。
【請求項３】
前記喫煙行為を評価することが、ある期間に対して時間に対する呼気一酸化炭素の関数を相関させることを備えることを特徴とする、請求項１に記載の方法。
【請求項４】
前記第１の検査期間における関数により定義される曲線のもとで、呼気一酸化炭素の面積および時間を得ることをさらに備えることを特徴とする、請求項３に記載の方法。
【請求項５】
前記複数の患者データを取得することは、前記患者に信号を発生して、少なくとも１つの呼気サンプルを提供することをさらに備えることを特徴とする、請求項１に記載の方法。
【請求項６】
前記複数の患者データを取得することは、前記第１の検査期間に対して呼気サンプルを提供するために、前記患者に繰り返し警告することを含むことをさらに備えることを特徴とする、請求項１に記載の方法。
【請求項７】
前記複数の患者データを取得することは、前記患者から入力データを受け取りこの入力の時間を記録することをさらに備えることを特徴とする、請求項１に記載の方法。
【請求項８】
前記入力データが、少なくとも前記患者が吸った煙草の一部の総数を備えることを特徴とする、請求項７に記載の方法。
【請求項９】
前記報告を提供することは、前記患者が吸った前記煙草の一部の総数の要約を表示することをさらに備えることを特徴とする、請求項８に記載の方法。
【請求項１０】
前記患者により喫煙される前記煙草の一部の総数を用いて煙草コストを判断することと、前記煙草コストを示すこととをさらに備えることを特徴とする、請求項８に記載の方法。
【請求項１１】
前記患者により喫煙される前記煙草の一部の総数を用いて、ニコチン予想を判断することと、前記ニコチン予想を示すこととをさらに備えることを特徴とする、請求項８に記載の方法。
【請求項１２】
前記患者データは、前記患者の行動情報を備えることを特徴とする、請求項７に記載の方法。
【請求項１３】
前記報告を提供することは、前記第１の検査期間内の表示装置時間間隔に関連して、呼気一酸化炭素量の表示装置を提供することをさらに備えることを特徴とする、請求項１に記載の方法。
【請求項１４】
前記報告を提供することは、前記複数の呼気サンプルの総数の表示装置を提供することをさらに備えることを特徴とする、請求項２に記載の方法。
【請求項１５】
前記報告を提供することは、前記第１の検査期間内における一連の時間間隔に対して一連の呼気一酸化炭素量を決定することをさらに備えることを特徴とする、請求項１に記載の方法。
【請求項１６】
一連の時間間隔に対して前記一連の呼気された一酸化炭素量を示すことをさらに備えることを特徴とする、請求項１５に記載の方法。
【請求項１７】
呼気された一酸化炭素の量を計測することが、携帯型センサを用いることを備えることを特徴とする、請求項１に記載の方法。
【請求項１８】
前記携帯型センサから電子装置までの各呼気サンプルに伴い、呼気一酸化炭素および収集時間の量を伝送することをさらに備えることを特徴とする、請求項１７に記載の方法。
【請求項１９】
前記複数の呼気サンプルの少なくとも一つを得る際に、前記患者の位置を得ることをさらに備えることを特徴とする、請求項２に記載の方法。
【請求項２０】
前記患者から行動質問表の結果を得ることをさらに備えることを特徴とする、請求項１に記載の方法。
【請求項２１】
前記報告を提供することは、期間中の時間間隔において呼気された一酸化炭素の曝露を定量することと、一酸化炭素の減衰の割合を推定することとを含むことを特徴とする、請求項１に記載の方法。
【請求項２２】
前記報告を提供することは、前記第１の検査期間中の時間間隔において呼気された一酸化炭素の曝露を定量することと、前記患者が煙草を喫煙する場合には一酸化炭素の割合の増加を推定することとを含むことを特徴とする、請求項１に記載の方法。
【請求項２３】
前記喫煙行為を評価することは、前記禁煙プログラムに必要な、ある程度の治療介入を評価することを備えることを特徴とする、請求項１に記載の方法。
【手続補正２】
【補正対象書類名】明細書
【補正対象項目名】０１５０
【補正方法】変更
【補正の内容】
【０１５０】
図２１に示されるデータは、例示目的の対象のためだけであり、所与のデータセットのための、ある期間の持続時間は、個人が移動型サンプリングユニットを用いて生体測定および行動データを取得する時間に左右される。呼気された一酸化炭素の曝露を定量することは、データセットを用いてｅＣＯ曲線４１２の下の領域を得て、ある期間に対して時間に対する呼気一酸化炭素の関数を相関させることを、備えている。方法およびシステムの変形では、ｅＣＯ曲線は、計算または近似させることが可能である。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
クラウドベースの統合サービスにおいて高度なマッピングを作成するシステムであって、
１つ以上のマイクロプロセッサを含むコンピュータと、
前記コンピュータ上で実行されるクラウドサービスとを備え、前記クラウドサービスは、ソースアプリケーションとターゲットアプリケーションとの間で統合フローを作成するためのウェブインターフェイスアプリケーションと、前記統合フローを実行するためのランタイムとを含み、前記システムはさらに、
前記ターゲットアプリケーションのターゲットエレメントのために前記ウェブインターフェイスアプリケーションに表示されるマッピング領域を備え、前記マッピング領域は、前記ソースアプリケーションのソースエレメントと前記ターゲットアプリケーションの前記ターゲットエレメントとの間にマッピングを定義するマッピング式を含む、複数のターゲットアイテムを含み、前記システムはさらに、
前記ウェブインターフェイスアプリケーションに表示される複数のマッピングコンポーネントを備え、各マッピングコンポーネントは、前記複数のターゲットアイテムの１つ以上にドラッグアンドドロップされるように構成され、前記システムはさらに、
ドラッグアンドドロップされるマッピングコンポーネントとターゲットアイテムとの組み合わせに対して１つ以上のアクションを各々が指定する複数のルールを定義するアプリケーションプログラミングインターフェイスを備え、
前記複数のマッピングコンポーネントの１つ以上を前記マッピング領域上にドラッグアンドドロップして、前記複数のルールの１つ以上をトリガして、１つ以上のマッピングステートメントを生成し、それによって、前記マッピング式を修正して、前記ソースエレメントと前記ターゲットエレメントの間に高度なマッピングを作成する、システム。
【請求項２】
前記マッピング式に対する前記修正は、条件ステートメント、関数、および参照ルックアップを追加することを含む、請求項１に記載のシステム。
【請求項３】
前記複数のマッピングコンポーネントは、拡張可能スタイルシート言語（ＸＳＬ）構造、ＸＰａｔｈ関数、操作、および変数を含む、請求項１または請求項２に記載のシステム。
【請求項４】
前記アプリケーションプログラミングインターフェイスは、前記マッピング領域内の前記マッピングコンポーネントおよびキャッチ側アイテムをパラメータとして取得し、前記マッピングコンポーネントと前記キャッチ側アイテムとの組み合わせに基づいて前記複数のルールの１つを施行して、前記マッピング式を修正するために使用される前記１つ以上のマッピングステートメントを生成する、請求項１〜請求項３のいずれか１つに記載のシステム。
【請求項５】
前記マッピング領域は、前記ターゲットエレメントがクリックされたときに表示される、請求項１〜請求項４のいずれか１つに記載のシステム。
【請求項６】
前記複数のマッピングコンポーネントは、前記アプリケーションプログラミングインターフェイスでオブジェクトにロードされ、そこで階層的に分類される、請求項１〜請求項５のいずれか１つに記載のシステム。
【請求項７】
前記ウェブユーザインターフェイスアプリケーションはＪａｖａ（登録商標）アプリケーションである、請求項１〜請求項６のいずれか１つに記載のシステム。
【請求項８】
クラウドベースの統合サービスにおいて高度なマッピングを作成するための方法であって、
マイクロコンピュータを含むコンピュータ上で実行されるクラウドサービスを提供することを備え、前記クラウドサービスは、ソースアプリケーションとターゲットアプリケーションとの間で統合フローを作成するためのウェブインターフェイスアプリケーションと、前記統合フローを実行するためのランタイムとを含み、前記方法はさらに、
前記ウェブインターフェイスアプリケーションに、前記ターゲットアプリケーションのターゲットエレメントに対するマッピング領域を表示することを備え、前記マッピング領域は、前記ソースアプリケーションのソースエレメントと前記ターゲットアプリケーションの前記ターゲットエレメントとの間にマッピングを定義するマッピング式を含む、複数のターゲットアイテムを含み、前記方法はさらに、
前記ウェブインターフェイスアプリケーションに複数のマッピングコンポーネントを表示することを備え、各マッピングコンポーネントは、前記複数のターゲットアイテムの１つ以上にドラッグアンドドロップされるように構成され、前記方法はさらに、
ドラッグアンドドロップされたマッピングコンポーネントとターゲットアイテムとの組み合わせに対して１つ以上のアクションを各々が指定する複数のルールを定義するアプリケーションプログラミングインターフェイスを提供することと、
前記マッピング領域において、前記複数のマッピングコンポーネントの１つ以上のドラッグアンドドロップされたマッピングコンポーネントを受け取ることと、
前記複数のルールの１つ以上のルールをトリガして、１つ以上のマッピングステートメントを生成し、それによって、前記マッピング式を修正して、前記ソースエレメントと前記ターゲットエレメントの間に高度なマッピングを作成することとを備える、方法。
【請求項９】
前記マッピング式に対する前記修正は、条件ステートメント、関数、および参照ルックアップを追加することを含む、請求項８に記載の方法。
【請求項１０】
前記複数のマッピングコンポーネントは、拡張可能スタイルシート言語（ＸＳＬ）構造、ＸＰａｔｈ関数、操作、および変数を含む、請求項８または請求項９に記載の方法。
【請求項１１】
前記アプリケーションプログラミングインターフェイスは、前記マッピング領域内の前記マッピングコンポーネントおよびキャッチ側アイテムをパラメータとして取得し、前記マッピングコンポーネントと前記キャッチ側アイテムとの組み合わせに基づいて前記複数のルールの１つを施行して、前記マッピング式を修正するために使用される前記１つ以上のマッピングステートメントを生成する、請求項８〜請求項１０のいずれか１つに記載の方法。
【請求項１２】
前記マッピング領域は、前記ターゲットエレメントがクリックされたときに表示される、請求項８〜請求項１１のいずれか１つに記載の方法。
【請求項１３】
前記複数のマッピングコンポーネントは、前記アプリケーションプログラミングインターフェイスでオブジェクトにロードされ、そこで階層的に分類される、請求項８〜請求項１２のいずれか１つに記載の方法。
【請求項１４】
前記ウェブユーザインターフェイスアプリケーションはＪａｖａアプリケーションである、請求項８〜請求項１３のいずれか１つに記載の方法。
【請求項１５】
請求項８から１４のいずれかに記載の方法をコンピュータに実行させるためのプログラム。
【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
グルコース管理装置を操作する方法であって、前記グルコース管理装置が、１つ以上の処理コンポーネントと、ハウジングと、ディスプレイ及びユーザ入力機構を含むユーザインターフェースと、メモリとを含み、
前記ディスプレイ上に、前記ユーザ入力機構を介して、炭水化物因子判定シーケンスを開始させるためのプロンプトを表示することと、
前記ディスプレイ上に、少なくとも１つのクエリを表示することであって、前記少なくとも１つのクエリが、ユーザの糖尿病のタイプと関連付けられたクエリを含むことと、
前記ユーザ入力機構を介して、前記少なくとも１つのクエリに対する前記ユーザの応答を受信することと、
前記少なくとも１つの処理コンポーネントを介して、前記少なくとも１つのクエリに対する前記ユーザの応答と、前記メモリに記憶された情報とを用いて、前記炭水化物因子を判定することと、
を含む、方法。
【請求項２】
前記メモリに記憶された前記情報が、少なくとも１つの数式またはアルゴリズム、前記ユーザの体重、またはそれらの組み合わせである、請求項１に記載の方法。
【請求項３】
前記炭水化物因子及び前記ユーザ入力機構に入力された短期パラメータを用いて、ボーラスインスリンの量を判定することをさらに含み、前記短期パラメータが、現在の炭水化物レベル、運動レベル、インスリンレベル、またはそれらの組み合わせを含む、請求項１に記載の方法。
【請求項４】
グルコース管理装置を操作する方法であって、前記グルコース管理装置が、１つ以上の処理コンポーネントと、ハウジングと、ディスプレイ及びユーザ入力機構を含むユーザインターフェースと、メモリとを含み、
前記ディスプレイ上に、前記ユーザ入力機構を介して、補正因子判定シーケンスを開始させるためのプロンプトを表示することと、
前記ディスプレイ上に、少なくとも１つのクエリを表示することであって、前記少なくとも１つのクエリが、ユーザの糖尿病のタイプと関連付けられたクエリと、前記ユーザのインスリンポンプ使用法と関連付けられたクエリとを含むことと、
前記ユーザ入力機構を介して、前記少なくとも１つのクエリに対する前記ユーザの応答を受信することと、
前記少なくとも１つの処理コンポーネントを介して、前記少なくとも１つのクエリに対する前記ユーザの応答と、前記メモリに記憶された情報とを用いて、前記補正因子を判定することと、
を含む、方法。
【請求項５】
前記メモリに記憶された前記情報が、少なくとも１つの数式またはアルゴリズム、前記ユーザの体重、前記ユーザによって用いられるインスリンのタイプ、またはそれらの組み合わせである、請求項４に記載の方法。
【請求項６】
前記補正因子、前記ユーザ入力機構に入力された短期パラメータ、またはそれらの組み合わせを用いて、ボーラスインスリンの量を判定することをさらに含み、前記短期パラメータが、現在の炭水化物レベル、運動レベル、インスリンレベル、またはそれらの組み合わせを含む、請求項４に記載の方法。
【請求項７】
前記少なくとも１つのクエリに対する前記ユーザの応答が、前記ユーザが一型糖尿病を有することを示し、前記少なくとも１つのクエリが、前記ユーザの基礎インスリン及びボーラスインスリンの一日投与総量と関連付けられたクエリをさらに含む、請求項１または４に記載の方法。
【請求項８】
ユーザの血糖レベルを管理するためのグルコース管理装置であって、
ハウジングと、
ディスプレイ及びユーザ入力機構を含むユーザインターフェースと、
プログラムされた命令を記憶するためのメモリ装置と、
処理コンポーネントであって、
前記ディスプレイに、前記ユーザ入力機構を介して受信された入力に応答して、炭水化物因子判定シーケンスまたは補正因子判定シーケンスを開始させるためのプロンプトを表示させることと、
前記ディスプレイに、少なくとも１つのクエリを表示させることであって、前記少なくとも１つのクエリが、ユーザの糖尿病のタイプ、前記ユーザの体重、前記ユーザのインスリンの一日投与総量、前記ユーザがインスリンポンプを用いているか、またはそれらの組み合わせと関連付けられることと、
前記ユーザ入力機構を介して、前記少なくとも１つのクエリに対する前記ユーザの応答を受信することと、
前記少なくとも１つのクエリに対する前記ユーザの応答と、前記メモリ装置に記憶された情報とを用いて、前記炭水化物因子または前記補正因子を判定することと、
を行うように構成された、処理コンポーネントと、
を備える、装置。
【請求項９】
前記メモリに記憶された前記情報が、少なくとも１つの数式またはアルゴリズム、前記ユーザによって用いられるインスリンのタイプ、またはそれらの組み合わせである、請求項８に記載の装置。
【請求項１０】
前記処理コンポーネントが、前記炭水化物因子または前記補正因子を用いて、ボーラスインスリンの量を判定するようにさらに構成される、請求項８に記載の装置。
【請求項１１】
前記炭水化物因子と関連付けられた前記少なくとも１つのクエリが、
基礎インスリン及びボーラスインスリンのユーザの一日投与総量と、
前記ユーザの体重と、
を含み、
前記補正因子と関連付けられた前記少なくとも１つのクエリが、基礎インスリン及びボーラスインスリンのユーザの一日投与総量、及びインスリンポンプが前記ユーザがインスリンポンプを用いているかどうか、を含む、請求項８に記載の装置。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
サーバによって実行されるプログラムであって、
端末からネットワークを介して送信された第１情報を前記サーバの通信部によって受信することと、
前記第１情報に含まれる位置情報に基づいて選択された複数の店舗の端末に、前記第１情報を前記通信部によって送信することと、
複数の前記店舗による前記第１情報の受信に基づき、前記店舗の特典、前記店舗の商品、および前記店舗のサービスのうちの少なくとも１つに関連する第２情報を複数の前記店舗の端末から前記通信部によって受信することと、
前記第２情報を前記通信部によって前記端末に送信することとを含む。
【請求項２】
請求項１に記載のプログラムであって、
複数の前記店舗の端末のうち、前記端末によって選択された店舗に、店舗の予約に関する情報を送信することを含む。
【請求項３】
請求項２に記載のプログラムであって、
前記第２情報は、複数の前記店舗の位置に関する情報を含む。
【請求項４】
請求項１に記載のプログラムであって、
前記第１情報は、前記端末のユーザによって選択された、前記端末とは異なる端末のユーザに関する情報を少なくとも含み、
複数の前記店舗のうち、少なくとも二つの店舗が選択されたことを示す情報を前記端末から前記通信部によって受信することと、
複数の前記店舗のうち、前記選択された少なくとも二つの店舗からいずれか一つの店舗に対して投票を行うための情報である投票情報を、前記端末と前記端末とは異なる端末とから前記通信部によって受信することと、
前記投票情報に基づいて、複数の前記店舗のうち少なくとも一つの店舗を決定する処理を前記サーバの制御部によって実行することを含む。
【請求項５】
請求項１に記載のプログラムであって、
前記端末から送信されたメッセージを複数の前記店舗のうち、少なくとも一つの店舗の端末に送信することと、
複数の前記店舗の各々から送信されたメッセージを、前記端末に送信することとを含む。
【請求項６】
請求項２に記載のプログラムであって、
前記第１情報は、前記端末のユーザによって選択された、前記端末とは異なる端末のユーザに関する情報を少なくとも含み、  
前記予約に関する情報を前記異なる端末に送信することを含む。
【請求項７】
請求項６に記載のプログラムであって、
前記第１情報は、前記異なる端末のユーザと集合する時間情報を含み、
前記端末と前記異なる端末とに少なくとも、前記時間情報に基づく通知を前記通信部によって行うことを含む。
【請求項８】
請求項１から請求項７のいずれか一項に記載のプログラムであって、
前記第１情報は、前記端末のメッセンジャーアプリケーションに含まれるスケジュール機能に基づき生成される。
【請求項９】
請求項８に記載のプログラムであって、
前記店舗の予約状況を前記スケジュール機能に基づいて、前記サーバによって管理することを含む。
【請求項１０】
請求項１に記載のプログラムであって、
前記第１情報は、前記端末のユーザによって選択された、前記端末とは異なる端末のユーザの参加情報に基づいて情報が更新される。
【請求項１１】
サーバの情報処理方法であって、
端末からネットワークを介して送信された第１情報を前記サーバの通信部によって受信することと、
前記第１情報に含まれる位置情報に基づいて選択された複数の店舗の端末に、前記第１情報を前記通信部によって送信することと、
複数の前記店舗による前記第１情報の受信に基づき、前記店舗の特典、前記店舗の商品、および前記店舗のサービスのうちの少なくとも１つに関連する第２情報を複数の前記店舗の端末から前記通信部によって受信することと、
前記第２情報を前記端末に前記通信部によって送信することとを含む。
【請求項１２】
サーバであって、
端末からネットワークを介して送信された第１情報を受信し、前記第１情報に含まれる位置情報に基づいて選択された複数の店舗の端末に、前記第１情報を送信し、複数の前記店舗による前記第１情報の受信に基づき、前記店舗の特典、前記店舗の商品、および前記店舗のサービスのうちの少なくとも１つに関連する第２情報を複数の前記店舗の端末から受信する通信部と、
前記第２情報を前記端末に前記通信部によって送信する制御を行う制御部とを備える。
【手続補正２】
【補正対象書類名】明細書
【補正対象項目名】発明の名称
【補正方法】変更
【補正の内容】
【発明の名称】サーバによって実行されるプログラム、情報処理方法およびサーバ
【手続補正３】
【補正対象書類名】明細書
【補正対象項目名】００１０
【補正方法】変更
【補正の内容】
【００１０】
ユーザ端末機からネットワークを介して受信した情報に基づいて約束情報を登録する登録部、前記登録された約束情報が含む位置情報に基づいて加盟店を選別する選別部、および前記選別された加盟店に前記約束情報を提供し、前記約束情報に関する逆提案の登録機能を前記加盟店に提供し（前記登録機能は、前記約束情報と関連して前記加盟店が場所、商品、およびサービスのうちの少なくとも１つに関する推薦情報を入力および登録する機能を含む）、前記登録機能によって登録された推薦情報を前記ユーザ端末機に提供する提供部を備える、集会場所推薦システムを提供する。
本発明の実施形態よるサーバによって実行されるプログラムは、
端末からネットワークを介して送信された第１情報を前記サーバの通信部によって受信することと、
前記第１情報に含まれる位置情報に基づいて選択された複数の店舗の端末に、前記第１情報を前記通信部によって送信することと、
複数の前記店舗による前記第１情報の受信に基づき、前記店舗の特典、前記店舗の商品、および前記店舗のサービスのうちの少なくとも１つに関連する第２情報を複数の前記店舗の端末から前記通信部によって受信することと、
前記第２情報を前記通信部によって前記端末に送信することとを含む。
本発明の実施形態によるサーバの情報処理方法は、
端末からネットワークを介して送信された第１情報を前記サーバの通信部によって受信することと、
前記第１情報に含まれる位置情報に基づいて選択された複数の店舗の端末に、前記第１情報を前記通信部によって送信することと、
複数の前記店舗による前記第１情報の受信に基づき、前記店舗の特典、前記店舗の商品、および前記店舗のサービスのうちの少なくとも１つに関連する第２情報を複数の前記店舗の端末から前記通信部によって受信することと、
前記第２情報を前記端末に前記通信部によって送信することとを含む。
本発明の実施形態によるサーバは、
端末からネットワークを介して送信された第１情報を受信し、前記第１情報に含まれる位置情報に基づいて選択された複数の店舗の端末に、前記第１情報を送信し、複数の前記店舗による前記第１情報の受信に基づき、前記店舗の特典、前記店舗の商品、および前記店舗のサービスのうちの少なくとも１つに関連する第２情報を複数の前記店舗の端末から受信する通信部と、
前記第２情報を前記端末に前記通信部によって送信する制御を行う制御部とを備える。
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
セグメント化転写テープであって、
構造化表面及び反対側の第２表面を有する、剥離可能テンプレート層と、
転写層であって、
前記剥離可能テンプレート層の前記構造化表面の少なくとも一部分上にコンフォーマルに配置されたバックフィル層であって、前記剥離可能テンプレート層の前記構造化表面に隣接する構造化された第１主表面、及び反対側の第２主表面を有する、バックフィル層及び、
第１主表面及び反対側の第２主表面を有する接着剤層であって、前記接着剤層の前記第２主表面が、前記バックフィル層の前記第２主表面に隣接するか又は接触する、接着剤層を備える、転写層と、
前記転写層内に形成された少なくとも１つの転写可能セグメントであって、接着剤表面を含み、前記接着剤表面の平面に対応した形状を有する、少なくとも１つの転写可能セグメントと、
前記転写層内に形成された少なくとも１つの非転写可能セグメントであって、接着剤表面を含み、前記少なくとも１つの非転写可能セグメントの前記接着剤表面の少なくとも一部分上に、不活性化層が配置されている、少なくとも１つの非転写可能セグメントと、
前記接着剤層の前記第１主表面から、前記転写層を貫通して、前記剥離可能テンプレート層の少なくとも一部分内まで延びる、少なくとも１つの切り溝であって、前記切り溝の深さが、前記転写テープの厚さ未満であり、前記少なくとも１つの転写可能セグメントの前記形状が、前記少なくとも１つの切り溝によって画定される、少なくとも１つの切り溝と、を備える、セグメント化転写テープ。
【請求項２】
セグメント化転写テープの形成方法であって、
構造化表面及び反対側の第２表面を有する剥離可能テンプレート層と、転写層とを準備することであって、前記転写層が、
前記剥離可能テンプレート層の前記構造化表面の少なくとも一部分上にコンフォーマルに配置されたバックフィル層であって、前記剥離可能テンプレート層の前記構造化表面に隣接する構造化された第１主表面、及び反対側の第２主表面を有する、バックフィル層、及び
第１主表面及び反対側の第２主表面を有する、接着剤層であって、前記接着剤層の前記第２主表面が、前記バックフィル層の前記第２主表面の少なくとも一部分に隣接するか又は接触する、接着剤層、を備えている、ことと、
前記転写層内に少なくとも１つの切り溝を形成することにより、前記転写層内に、接着剤表面を有する少なくとも１つの転写可能セグメント、及び接着剤表面を有する少なくとも１つの非転写可能セグメントを作り出すことであって、前記少なくとも１つの転写可能セグメントが、前記少なくとも１つの切り溝によって画定された、前記少なくとも１つの転写可能セグメントの前記接着剤表面の平面に対応した形状を有し、前記少なくとも１つの切り溝が、前記接着剤層の前記第１主表面から、前記転写層を貫通して、前記剥離可能テンプレート層の少なくとも一部分内まで延びることと、前記少なくとも１つの非転写可能セグメントの前記接着剤表面の少なくとも一部分上に、不活性化層を配置することと、を含む、方法。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
シリアルバスに結合されるデバイスの能力を検出するための方法であって、
集積回路間(I2C)プロトコルに従って前記シリアルバス上で送信すべきコマンドを生成するステップであって、前記コマンドが第1のスレーブデバイスに対応するアドレスを含む、ステップと、
テスト信号を取得するために前記コマンドをパルスのシーケンスとマージするステップであって、前記パルスのシーケンスにおける各パルスが、50ナノ秒未満の持続時間を有する、ステップと、
前記シリアルバス上で前記テスト信号を送信するステップと、
前記第1のスレーブデバイスが前記コマンドに正しく応答するかどうかに基づいて前記第1のスレーブデバイスにおけるスパイクフィルタの有効性を判定するステップと
を含み、
前記スパイクフィルタは、50ナノ秒未満の持続時間を有するパルスを抑制することが期待される、方法。
【請求項２】
前記コマンドに応答して前記第1のスレーブデバイスから肯定応答を受信するステップであって、前記肯定応答が、前記第1のスレーブデバイスにおける前記スパイクフィルタが有効に動作していることを示す、ステップをさらに含む、請求項1に記載の方法。
【請求項３】
前記スパイクフィルタの前記有効性を判定するステップは、
第1の値を前記第1のスレーブデバイスのレジスタに書き込ませるステップと、
前記第1のスレーブデバイスにおける前記レジスタから第2の値を読み取るステップと、
前記第1の値が前記第2の値に等しいときに前記スパイクフィルタが有効であると判定するステップと
を含む、請求項1に記載の方法。
【請求項４】
前記コマンドを前記パルスのシーケンスなしで1つまたは複数のクロック周波数で送信することによって前記第1のスレーブデバイスが存在するかどうかを判定するステップであって、前記第1のスレーブデバイスが、前記第1のスレーブデバイスが前記シリアルバス上に存在し、かつ前記1つまたは複数のクロック周波数のうちの少なくとも1つを使用して通信するように適合されているときに、前記コマンドに肯定応答するように構成される、ステップをさらに含む、請求項1に記載の方法。
【請求項５】
前記テスト信号は、前記1つまたは複数のクロック周波数のうちの最低周波数に相当するクロック周波数で送信される、請求項4に記載の方法。
【請求項６】
前記コマンドを前記パルスのシーケンスとマージするステップは、
前記シリアルバス上で送信されるクロック信号がロー状態であるときに前記パルスのシーケンスを複数の間隔の各々にマージするステップを含む、請求項1に記載の方法。
【請求項７】
前記コマンドを前記パルスのシーケンスとマージするステップは、
前記シリアルバス上で送信されるクロック信号がハイ状態であるときに前記パルスのシーケンスを複数の間隔の各々にマージするステップを含む、請求項1に記載の方法。
【請求項８】
各パルスは、前記各パルスがハイ状態である40ナノ秒の期間を含む、請求項1に記載の方法。
【請求項９】
前記パルスのシーケンスは、前記シリアルバスのシリアルクロックライン(SCL)上で送信される、請求項1に記載の方法。
【請求項１０】
前記パルスのシーケンスは、前記シリアルバスのシリアルデータライン(SDA)上で送信される、請求項1に記載の方法。
【請求項１１】
シリアルバスに結合される装置であって、
集積回路間(I2C)プロトコルに従って前記シリアルバス上で送信すべきコマンドを生成するための手段であって、前記コマンドが第1のスレーブデバイスに対応するアドレスを含む、手段と、
テスト信号を取得するために前記コマンドをパルスのシーケンスとマージするための手段であって、前記パルスのシーケンスにおける各パルスが、50ナノ秒未満の持続時間を有する、手段と、
前記シリアルバス上で前記テスト信号を送信するための手段と、
前記第1のスレーブデバイスが前記コマンドに正しく応答するかどうかに基づいて前記第1のスレーブデバイスにおけるスパイクフィルタの有効性を判定するための手段と
を備え、
前記スパイクフィルタは、50ナノ秒未満の持続時間を有するパルスを抑制することが期待される、装置。
【請求項１２】
前記コマンドを前記パルスのシーケンスなしで1つまたは複数のクロック周波数で送信することによって前記第1のスレーブデバイスが存在するかどうかを判定するための手段であって、前記第1のスレーブデバイスが、前記第1のスレーブデバイスが前記シリアルバス上に存在するとき、および前記第1のスレーブデバイスが前記1つまたは複数のクロック周波数のうちの少なくとも1つを使用して通信するように適合されているときに、前記コマンドに肯定応答するように構成される、請求項11に記載の装置。
【請求項１３】
前記パルスのシーケンスは、前記シリアルバスのシリアルクロックライン(SCL)上で送信される、請求項11に記載の装置。
【請求項１４】
前記パルスのシーケンスは、前記シリアルバスのシリアルデータライン(SDA)上で送信される、請求項11に記載の装置。
【請求項１５】
プロセッサによって実行されたとき、請求項1〜10のいずれか一項に記載の方法を前記プロセッサに実施させるコードを備える、プロセッサ可読記憶媒体。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
デバイスのユーザを認証するためのシステムであって、前記システムは、
ユーザの少なくとも一部の少なくとも１つの画像を取り込むための第１の画像センサと、
前記第１の画像センサによって取り込まれた少なくとも１つの画像に少なくとも部分的に基づいて、前記ユーザの眼に関する情報を判定する判定ユニットと、
前記ユーザの眼に関する前記情報を用いて前記ユーザを認証するための認証ユニットと、
前記ユーザの認証に基づいてユーザプロファイルをロードするためのプロファイルユニットを備え、
前記ユーザプロファイルが、視標追跡により判定された凝視方向と前記ユーザの実際の凝視方向との間のオフセットを規定する視標追跡較正プロファイルである、システム。  
【請求項２】
デバイスのユーザを認証するためのシステムであって、前記システムは、
ユーザの少なくとも一部の少なくとも１つの画像を取り込むための第１の画像センサと、
前記第１の画像センサによって取り込まれた少なくとも１つの画像に少なくとも部分的に基づいて、前記ユーザの眼に関する情報を判定する判定ユニットと、
前記ユーザの眼に関する前記情報を用いて前記ユーザを認証するための認証ユニットと、
前記ユーザの認証に基づいてユーザプロファイルをロードするためのプロファイルユニットを備え、
前記ユーザプロファイルが、コンピュータ上で動作するコンピュータアプリケーションの機能を構成するために使用される、システム。